(57)【要約】【課題】内部の物品の上下動を案内することができる機構を有する収納容器を提供する。【解決手段】第１の筐体３１と、第２の筐体３２と、カバー３３と、回動部材４１と、第１の連動部材４２と、第２の連動部材４３と、第１のガイド手段５１及び第２のガイド手段５２とを備えた収納容器であり、第１のガイド手段５１及び第２のガイド手段５２は、第１の筐体３１の内表面と第２の筐体３２の外表面とに、それぞれ、互いに上下摺動可能に嵌合して第２の筐体３２の第１の筐体３１内における上下動を案内することができるように設ける。【選択図】図１
0003155953.tif 000002
【実用新案登録請求の範囲】
【請求項１】
第１の底壁と、前記第１の底壁における周縁に沿って立ち上がる第１の周壁とからなり、その上端に第１の開口を有する第１の筐体と、
第２の底壁と、前記第２の底壁における周縁に沿って立ち上がる第２の周壁とからなり、その上端に第２の開口を有し、前記第１の筐体内に収納される第２の筐体と、
両端部を有し、且つ、該両端部が対称的に回動できるように前記第１の筐体内の上方近くに軸支されている回動部材と、
前記回動部材の両端部における一端部に固定されていて該回動部材の回動により、前記第１の筐体の第１の開口を覆う閉鎖位置と、前記第１の開口を開放させる開放位置とに切り替えられるように配置構成されているカバーと、
上下両端部を有するように、前記第１の筐体内に設けられている上、前記上端部が前記回動部材の他端部に枢支されており、且つ、前記カバーが前記閉鎖位置になると、その全体が前記回動部材の回動により上へ持ち上げられ、前記開放位置になると、その全体が前記回動部材の回動により下へ押し下げられるように配置構成されている第１の連動部材と、
両端部を有し、且つ、該両端部が対称的に回動できるように前記第１の筐体内の下方近くに軸支されているものであって、前記両端部における一端部は前記第２の底壁を下から支持し、他端部は前記第１の連動部材の下端部に枢支されており、前記第１の連動部材の全体が下へ押し下げられると、前記第２の筐体を下から支持している一端部が上へ持ち上げられて前記第２の筐体を前記第１の筐体内から筐体外へ露出させ、前記第１の連動部材の全体が上へ持ち上げられると、下に押し下げられて前記第２の筐体を前記第１の筐体内に収納することができるように配置構成されている第２の連動部材と、
前記第１の周壁の内表面と前記第２の周壁の外表面とに、それぞれ、互いに上下摺動可能に嵌合して前記第２の筐体の前記第１の筐体内における上下動を案内することができるように設けられている第１のガイド手段及び第２のガイド手段と、
を備えていることを特徴とする収納容器。
【請求項２】
前記第１のガイド手段は、突起状に形成されており、
前記第２のガイド手段は、前記第２の筐体の上下動に応じて前記第１のガイド手段に案内されるような長溝状に形成されていることを特徴とする請求項１に記載の収納容器。
【請求項３】
前記第１のガイド手段は、前記第１の筐体の内表面に、前記第１の開口の開口縁から下の方へ伸びるように形成されている短溝であり、
前記第２のガイド手段は、前記第２の筐体の外表面に、前記短溝に嵌め込むように配置構成されている突起状であることを特徴とする請求項１に記載の収納容器。
【請求項４】
前記第１のガイド手段は、前記第１の筐体の内表面に、前記第１の開口の開口縁から下の方へ伸びるように形成されている短溝と、前記短溝の下端から、該短溝より小さい幅で更に伸びている長溝とからなっており、
前記第２のガイド手段は、前記第２の筐体の外表面に、前記短溝に嵌め込むように配置構成されている突起部と、前記突起部の下端から、該突起部より小さい幅で更に伸びており、且つ、前記長溝に嵌め込むように配置されているリブ部とからなることを特徴とする請求項１に記載の収納容器。
【請求項５】
前記回動部材の前記第１の筐体内における軸支は、両端がそれぞれ前記第１の筐体の内壁に固定されている第１の軸手段により構成されており、
前記回動部材は、両末端を有するＵ字形部と、前記両末端からそれぞれ伸びている第１の一対の平行棒とからなり、前記Ｕ字形部と前記第１の一対の平行棒とはそれぞれ異なる平面にあり、前記第１の軸手段を境にして、前記Ｕ字形部のある方を前記回動部材の一端部とし、その反対側を前記回動部材の他端部としており、
前記第１の連動部材は、それぞれ前記第１の一対の平行棒に枢支されている第２の一対の平行棒となり、
前記第２の連動部材は平板体となっていることを特徴とする請求項１〜４のいずれか一項に記載の収納容器。
【請求項６】
前記回動部材における他端部と前記第１の連動部材の上端部との間に、弾性素子が、前記カバーが前記開放位置から前記閉鎖位置に移動されると、前記カバーを前記閉鎖位置から前記開放位置へ移動することを補助する付勢力が生ずるように設けられていることを特徴とする請求項５に記載の収納容器。
【請求項７】
前記第１の軸手段に、更に、緩和素子が、前記回動部材を横から押圧してその回動を遅滞させるように設けられていることを特徴とする請求項６に記載の収納容器。
【請求項８】
前記第１の連動部材は、上下に伸びている平板体であり、該平板体の上下に伸びている両側縁に、それぞれ、取付け凸部が上下に延伸するように形成されており、該取付け凸部は、それぞれ、前記第１の筐体の内壁に、互いに対向するように設置されている一対の取付け凹部に嵌め込まれることを特徴とする請求項１〜４のいずれか一項に記載の収納容器。
【請求項９】
前記第２の底壁及び前記第２の連動部材の、それぞれの互いに向き合っている一対の面に、それぞれ、互いに引き合うことができる一対の磁石の一つが設置されていることを特徴とする請求項１〜８のいずれか一項に記載の収納容器。
【請求項１０】
前記第１の周壁の内表面に、楔形の凹部が形成されており、
前記第２の周壁の外表面に、楔形の突起が、前記カバーが前記閉鎖位置になると、前記楔形の凹部に入って仮に固定され、その後、前記カバーが前記開放位置になると、前記楔形の凹部から離脱することができるように形成されていることを特徴とする請求項１〜９のいずれか一項に記載の収納容器。
【請求項１１】
前記第２の筐体における内部空間は、仕切り板により複数の空間に分けられていることを特徴とする請求項１〜１０のいずれか一項に記載の収納容器。
【考案の詳細な説明】
【技術分野】
【０００１】
本考案は、収納容器に関し、特に物品をカバーの開閉に応じてスムーズに露出させたり収納したりすることができる収納容器に関する。
【背景技術】
【０００２】
本願の考案者は、図９及び図１０に示したような収納容器１を提案した（下記特許文献参照）。該収納容器１は、使用者によるカバー１１の開閉（即ちカバー１１の回動）に応じて、筐体１０内の物品１００を間接的に筐体外に露出させたり（図１０参照）筐体内に収納したり（図９参照）することができるものである。
【先行技術文献】
【特許文献】
【０００３】
【特許文献１】台湾実用新案登録公告第Ｍ３２２１７６号
【考案の概要】
【考案が解決しようとする課題】
【０００４】
しかしながら、この提案した収納容器１の実施において、物品１００が傾いたり倒れたりしやすく、該収納容器１の構造による上下動で物品１００を露出させたり収納したりする際に邪魔になることがある。
【０００５】
そのため、本考案は、前記問題点を解消すべく、その内部の物品を安定に上下動させることができる収納容器の提供を目的とする。
【課題を解決するための手段】
【０００６】
上記目的を達成するために、本願考案者は、研究を重ねた結果、前記収納容器１には、物品１００を案内する機構がないので、物品１００の上下動をスムーズに行うことができず、上記のような問題が生じたと考えた。よって、本考案は、第１の底壁と、前記第１の底壁における周縁に沿って立ち上がっている第１の周壁とからなっていて、その上端に第１の開口を有する第１の筐体と、第２の底壁と、前記第２の底壁における周縁に沿って立ち上がっている第２の周壁とからなっていて、その上端に第２の開口を有するものであって、前記第１の筐体内に収納されている第２の筐体と、両端部を有し、且つ、該両端部が対称的に回動できるように前記第１の筐体内の上方近くに軸支されている回動部材と、前記回動部材の両端部における一端部に固定されていて該回動部材の回動により、前記第１の筐体の第１の開口を覆う閉鎖位置と、前記第１の開口を開放させる開放位置とに切り替えられるように配置構成されているカバーと、上下両端部を有するように、前記第１の筐体内に設けられている上、前記上端部が前記回動部材の他端部に枢支されており、且つ、前記カバーが前記閉鎖位置になると、その全体が前記回動部材の回動により上へ持ち上げられ、前記開放位置になると、その全体が前記回動部材の回動により下へ押し下げられるように配置構成されている第１の連動部材と、両端部を有し、且つ、該両端部が対称的に回動できるように前記第１の筐体内の下方近くに軸支されているものであって、前記両端部における一端部は前記第２の底壁を下から支持し、他端部は前記第１の連動部材の下端部に枢支されており、それに、前記第１の連動部材の全体が下へ押し下げられると、前記第２の筐体を下から支持している一端部が上へ持ち上げられて前記第２の筐体を前記第１の筐体内から筐体外へ露出させ、前記第１の連動部材の全体が上へ持ち上げられると、下に押し下げられて前記第２の筐体を前記第１の筐体内に収納することができるように配置構成されている第２の連動部材と、前記第１の周壁の内表面と前記第２の周壁の外表面とに、それぞれ、互いに上下摺動可能に嵌合して前記第２の筐体の前記第１の筐体内における上下動を案内することができるように設けられている第１のガイド手段及び第２のガイド手段と、を備えている収納容器を提供する。
【０００７】
本考案の収納容器は、その上下動が案内される第２の筐体の内部空間で、物品を収納する。
【考案の効果】
【０００８】
上記構成による収納容器は、カバーの開閉に連動し、物品を収納する第２の筐体を第１の筐体の筐体外へ露出させたり筐体内に収納したりする構造になっており、第１の筐体における第１の周壁の内表面と第２の筐体における第２の周壁の外表面とに、それぞれ互いに上下摺動可能に嵌合して第２の筐体の第１の筐体内における上下動を案内する機構（即ち第１のガイド手段及び第２のガイド手段）が設けられているので、第２の筐体を第１の筐体内から露出させたりまたは第１の筐体内に収納したりする際、第２の筐体自体が傾いたり倒れたりしにくいので、第２の筐体内にある物品もスムーズに移動させることができる。
【図面の簡単な説明】
【０００９】
【図１】本考案の第１の実施形態の収納容器を示す分解図である。
【図２】図１の収納容器におけるカバーが閉鎖位置にある状態を示す縦断面図である。
【図３】図２の収納容器におけるカバーが開放位置にある状態を示す縦断面図である。
【図４】本考案の第２の実施形態の収納容器を示す分解図である。
【図５】本考案の第３の実施形態の収納容器を示す分解図である。
【図６】本考案の第４の実施形態の収納容器を示す分解図である。
【図７】本考案の第５の実施形態の収納容器を示す分解図である。
【図８】本考案の第６の実施形態の収納容器を示す分解図である。
【図９】従来の収納容器の、そのカバーが閉鎖位置にある状態を示す縦断面図である。
【図１０】図９の収納容器におけるカバーが開放位置にある状態を示す縦断面図である。
【考案を実施するための形態】
【００１０】
以下、本考案の収納容器の六つの好適な実施形態を説明する。なお、以下の説明において、六つの好適な実施形態における類似の部分には同一符号をつける。
【００１１】
〈第１の実施形態〉  
先ず、本考案の第１の実施形態における収納容器を説明する。図１〜図３に示したように、本考案の第１の実施形態における収納容器は、容器主体３と、連動機構４と、ガイド機構５と、一対の取付け凸部６と、からなっている。
【００１２】
容器主体３は、第１の筐体３１と、第２の筐体３２と、カバー３３とを備えている。
【００１３】
第１の筐体３１は、第１の底壁３１１と、第１の底壁３１１における周縁に沿って立ち上がっている第１の周壁３１２とからなっていて、その上端に第１の開口３１３を有する四角柱である。即ち、第１の周壁３１２は四つの側壁からなっている。第１の周壁３１２のうち、一つの側壁３１４の内壁には、一対の取付け凹部３１０が互いに対向するように設置されている。
【００１４】
第２の筐体３２は、第２の底壁３２１と、第２の底壁３２１における周縁に沿って立ち上がっている第２の周壁３２２とからなっていて、その上端に第２の開口３２３を有する四角柱である。この第２の筐体３２は、第１の筐体３１内に収納されており、また、本実施形態では図示のように、その内部空間が仕切り板３２４により小物を収納できる複数の空間３２５に分けられている。
【００１５】
カバー３３は、下記回動部材４１により第１の筐体３１の側壁３１４と接続しており、且つ、使用者が回動させることにより、第１の開口３１３を覆う閉鎖位置（図２参照）と、第１の開口３１３を開放させる開放位置（図３参照）とに切り替えられるように構成されている。
【００１６】
本実施形態における連動機構４は、回動部材４１と、第１の連動部材４２と、第２の連動部材４３とからなっており、上記一対の取付け凹部３１０に摺動可能に嵌め込まれてそれぞれ上下に延伸している一対の取付け凸部６の間に設置されている。
【００１７】
詳しく説明すると、連動機構４における回動部材４１は、両端部４１１、４１２を有し、且つ、該両端部４１１、４１２が対称的に回動できるように一対の突起４１３０と一対の取付け凸部６における一対の軸孔６０とからなっている第１の軸手段４１３を介して第１の筐体３１内の上方近くに軸支されている。
【００１８】
更に詳しく説明すると、一対の軸孔６０は一対の取付け凸部６の対向している一対の側面に対応的に形成されており、一対の突起４１３０が、回動部材４１の左右両側縁から突起してそれぞれ一対の軸孔６０の一つに回動できるように挿入している。
【００１９】
また、回動部材４１は、その一端部４１１がカバー３３に固定され、他端部４１２の端縁が第１の連動部材４２に枢支されているので、カバー３３の開閉に応じて回動することができる。
【００２０】
第１の連動部材４２は、カバー３３が閉鎖位置になるとその全体が回動部材４１の回動により持ち上げられ（図２参照）、カバー３３が開放位置になるとその全体が回動部材４１の回動により押し下げられる（図３参照）ように配置構成されている。本実施形態における第１の連動部材４２は、上下に伸びている平板体であり、該平板体は、上下両端部４２１、４２２を有し、上端部４２１が回動部材４１の他端部４１２の端縁に枢支され、下端部４２２が第２の連動部材４３に枢支されている。
【００２１】
第２の連動部材４３は、両端部４３１、４３２を有し、且つ、該両端部４３１、４３２が対称的に回動できるように、一対の突起４３３０と一対の取付け凸部６における一対の軸孔６１とからなっている第２の軸手段４３３を介して第１の筐体３１内の下方近くに軸支されている。
【００２２】
更に詳しく説明すると、一対の軸孔６１は一対の取付け凸部６の対向している一対の側面に対応的に形成されており、一対の突起４３３０が、第２の連動部材４３の左右両側縁から突起してそれぞれ一対の軸孔６１の一つに回動できるように挿入している。
【００２３】
また、第２の連動部材４３は、その一端部４３１が第２の底壁３２１を下から支持し、他端部４３２が第１の連動部材４２の下端部４２２に枢支されているので、第１の連動部材４２の上下動に応じて回動することができる。
【００２４】
第１の連動部材４２の上下動に応じて第２の連動部材４３が連動することをより具体的に説明すると、第１の連動部材４２をその全体が回動部材４１の回動により押し下げると、第２の連動部材４３の第１の連動部材４２に枢支されている他端部４３２も押し下げられ、それに対し一端部４３１は持ち上げられる。よって第２の筐体３２を第１の筐体３１内から筐体外へ露出させることになる。また、第１の連動部材４２をその全体が回動部材４１の回動により持ち上げると、第２の連動部材４３の第１の連動部材４２に枢支されている他端部４３２も持ち上げられ、それに対し一端部４３１は押し下げられる。よって第２の筐体を前記第１の筐体内に収納することになる。
【００２５】
ガイド機構５は、第１のガイド手段５１と、第２のガイド手段５２とからなっている。
【００２６】
第１のガイド手段５１及び第２のガイド手段５２は、第１の周壁３１２の内表面と第２の周壁３２２の外表面とにそれぞれ互いに摺動可能に嵌合して、第２の筐体３２の上下動が第１の筐体３１内で案内されるように設けられている。
【００２７】
図示のように、本実施形態において、第１のガイド手段５１は突起状に形成されており、第２のガイド手段５２は第２の筐体の上下動に応じて前記第１のガイド手段に案内されるような長溝状に形成されている。また、第１のガイド手段５１は上記側壁３１４と向かい合っている側壁３１５に形成されている。
【００２８】
また、本実施形態において、連動機構４は一対の取付け凸部６の間に設置され、該一対の取付け凸部６を第１の筐体３１の一対の取付け凹部３１０に嵌め込むことにより第１の筐体３１に設置されているので、第２の筐体３２の上下動は第１の筐体３１の側壁３１４及び一対の取付け凸部６の、第２の筐体３２に対する面に制限されている。それに、第１のガイド手段５１及び第２のガイド手段５２により、第２の筐体３２の第１の筐体３１内における上下動を案内することができる。そのため、第２の筐体を第１の筐体内から露出させたりまたは第１の筐体内に収納したりする際、第２の筐体３２自体が傾いたり倒れたりしにくいので、第２の筐体内に収納される物品もスムーズに移動させることができる。よって、第１の筐体３１内にある第１の連動部材４２と第２の連動部材４３との作動を妨害したり、その作動で第２の筐体３２やその内部の物品を壊すことを避けることができるので、第２の筐体３２及び物品の上下動が効率的になり、収納容器を長く使用することができる。
【００２９】
また、本実施形態の収納容器は、その内部にある物品が連動機構４と接触して引っかかる虞がないため、綿棒や楊枝などのような細長いものや綿球などの小物を収納することができる。
【００３０】
なお、連動機構４は、一対の取付け凸部６を一対の取付け凹部３１０から取り除くことにより第１の筐体３１内から取り出すことができるので、収納容器の掃除を簡単に済ませることができる。
【００３１】
〈第２の実施形態〉
次に本考案の第２の実施形態の収納容器を説明する。
【００３２】
第２の実施形態の収納容器は図４に示したように、第１の筐体３１の内壁には一対の取付け凹部が形成されていないことと、第２の筐体３２の内部空間には仕切り板が設置されていないことと、連動機構４及びガイド機構５の構成と、一対の取付け凸部が設置されていないこと以外、他の構成及び連動機構４の作動が全て第１の実施形態の収納容器と同様である。
【００３３】
本実施形態における回動部材４１は、金属桿状体を湾曲させて、Ｕ字形部４１０１（図示における上端部）と、第１の一対の平行棒４１０２（図示における下端部）を形成しており、第１の一対の平行棒４１０２はＵ字形部４１０１の両末端からそれぞれ伸びており、Ｕ字形部４１０１と第１の一対の平行棒４１０２とはそれぞれ異なる平面にある。回動部材４１における第１の軸手段４１３は桿状体であり、第１の一対の平行棒４１０２を貫通して第１の筐体３１における内壁の上方近くに固定されている。そして、回動部材４１は、第１の軸手段４１３を境にして、Ｕ字形部４１０１のある方を一端部４１１とし、その反対側を他端部４１２とする。
【００３４】
第１の連動部材４２はそれぞれ第１の一対の平行棒４１０２に枢支されている第２の一対の平行棒４２０である。
【００３５】
第２の連動部材４３における第２の軸手段４３３は桿状体であり、平板体である第２の連動部材４３の他端部４３２を貫通して第１の筐体３１の内壁の下方近くに固定されている。
【００３６】
第１のガイド手段５１は第１の開口３１３の開口縁から下の方へ伸びるように第１の筐体３１の内表面に形成されている短溝である。
【００３７】
第２のガイド手段５２は第２の筐体３２の外表面に、第１のガイド手段５１の短溝に嵌め込むように配置構成されている突起状である。
【００３８】
また、収納容器全体の重量を減らすため、本実施形態における回動部材４１及び第１の連動部材４２はそれぞれ金属桿状体を使用した。
【００３９】
〈第３の実施形態〉
次に本考案の第３の実施形態の収納容器を説明する。
【００４０】
第３の実施形態の収納容器は図５に示したように、ガイド機構５における第１のガイド手段５１及び第２のガイド手段５２の構成以外、他の構成が全て第２の実施形態の収納容器と同様である。
【００４１】
本実施形態における第１のガイド手段５１は、第１の筐体３１の内表面に第１の開口３１３の開口縁から下の方へ伸びるように形成されている短溝５１１と、短溝５１１の下端から該短溝５１１より小さい幅で更に伸びている長溝５１２とからなっている。
【００４２】
また、第２のガイド手段５２は、第２の筐体３２の外表面に、短溝５１１に嵌め込むように配置構成されている突起部５２１と、突起部５２１の下端から、該突起部５２１より小さい幅で更に伸びており、且つ、長溝５１２に嵌め込むように配置されているリブ部５２２とからなっている。
【００４３】
前記実施形態と比べて、本実施形態は、このような第１のガイド手段５１及び第２のガイド手段５２により、第２の筐体３２の上下動を更に効率的にすることができる。
【００４４】
〈第４の実施形態〉
次に本考案の第４の実施形態の収納容器を説明する。
【００４５】
第４の実施形態の収納容器は図６に示したように、一対の磁石７１、７２を更に備えていること以外、他の構成が全て第３の実施形態の収納容器と同様である。
【００４６】
一対の磁石７１、７２は、互いに引き合うことができるように、それぞれ第２の底壁３２１の下表面及び第２の連動部材４３の上表面（第２の底壁３２１向きの表面）に設置されているので、第２の筐体３２の上下動による振動で所定の位置からずれることを防ぐことができる。
【００４７】
〈第５の実施形態〉
次に本考案の第５の実施形態の収納容器を説明する。
【００４８】
第５の実施形態の収納容器は図７に示したように、一対の楔形の凹部８１が第１の周壁３１２の内表面に形成され、一対の楔形の突起８２が第２の周壁３２２の外表面に形成されていること以外、他の構成が全て第４の実施形態の収納容器と同様である。
【００４９】
一対の楔形の突起８２は、カバー３３が閉鎖位置になると、それぞれ一対の楔形の凹部８１に入って仮固定され、また、カバー３３が開放位置になると、それぞれ一対の楔形の凹部８１から離脱することができるように形成されている。
【００５０】
本実施形態における楔形の凹部８１は一対あり、それぞれ第１の周壁３１２における向かい合う側壁３１６に設けられ、楔形の突起８２も一対あり、それぞれ一対の楔形の凹部８１に対応する位置に設けられている。しかし、楔形の凹部８１及び楔形の突起８２は本実施形態に限らず、収納容器の大きさ或いは形状によってそれらの数量及び位置を変換しても良い。
【００５１】
〈第６の実施形態〉
次に本考案の第６の実施形態の収納容器を説明する。
【００５２】
第６の実施形態の収納容器は図８に示したように、弾性素子９１及び緩和素子９２を更に備えていること以外、他の構成が全て第５の実施形態の収納容器と同様である。
【００５３】
弾性素子９１は、カバー３３が開放位置から閉鎖位置に移動すると、カバー３３を閉鎖位置から開放位置へ移動することを補助する付勢力が生ずるように設けられている。本実施形態における弾性素子９１は、回動部材４１における他端部４１２の端縁と第１の連動部材４２の上端部４２１の端縁との間に設置されているねじりばねである。それにより、カバー３３をより省力的に開放位置に移動させることができる。
【００５４】
緩和素子９２は、回動部材４１を横から押圧してその回動を遅滞させるように第１の軸手段４１３に設置されている。本実施形態における緩和素子９２は、第１の筐体３１の両側壁３１６と回動部材４１の第１の一対の平行棒４１０２との間で、第１の軸手段４１３の外表面を囲むように設置されている一対のゴム製の管状体である。この構成により、回動部材４１はその回動を遅滞させることと弾性素子９１による付勢力で、第１の連動部材４２が壊れることを防ぐことができる。
【産業上の利用可能性】
【００５５】
上述したように、本考案の収納容器は、その第２の筐体を第１の筐体内から露出させたりまたは第１の筐体内に収納したりする際、その第２の筐体３２自体が安定していて、傾いたり倒れたりしにくいので、該第２の筐体３２内部にある収納物の出し入れ作業がスムーズで、収納物の破壊を避けることもできる。
【符号の説明】
【００５６】
１  収納容器
１０  筐体
１００  物品
１１  カバー
３  容器主体
３１  第１の筐体
３１０  取付け凹部
３１１  第１の底壁
３１２  第１の周壁
３１３  第１の開口
３１４、３１５、３１６  側壁
３２  第２の筐体
３２１  第２の底壁
３２２  第２の周壁
３２３  第２の開口
３２４  仕切り板
３２５  空間
３３  カバー
４  連動機構
４１  回動部材
４１０１  Ｕ字形部
４１０２  第１の一対の平行棒
４１１、４１２  回動部材の両端部
４１３  第１の軸手段
４１３０  突起
４２  第１の連動部材
４２０  第２の一対の平行棒
４２１、４２２  第１の連動部材の上下両端部
４３  第２の連動部材
４３１、４３２  第２の連動部材の両端部
４３３  第２の軸手段
４３３０  突起
５  ガイド機構
５１  第１のガイド手段
５１１  短溝
５１２  長溝
５２  第２のガイド手段
５２１  突起部
リブ部  ５２２
６  取付け凸部
７１、７２  一対の磁石
８１  楔形の凹部
８２  楔形の突起
９１  弾性素子
９２  緩和素子
【図１】
0003155953.tif 000003
【図２】
0003155953.tif 000004
【図３】
0003155953.tif 000005
【図４】
0003155953.tif 000006
【図５】
0003155953.tif 000007
【図６】
0003155953.tif 000008
【図７】
0003155953.tif 000009
【図８】
0003155953.tif 000010
【図９】
0003155953.tif 000011
【図１０】
0003155953.tif 000012